(57)【要約】【課題】液晶駆動装置及びそれにより駆動される液晶パネルを含む液晶表示装置の回路規模を小さくすること。【解決手段】選択回路８にて、比較回路７により前表示データが特定階調であると判別されたときにはルックアップテーブル３０によって現表示データ（現在の表示データ）を補正した補正データを選択し、特定階調でないと判別されたときには現表示データを選択して、液晶パネルを駆動する信号線駆動回路に供給する構成とすることにより、ルックアップテーブル３０を特定階調のみの補正テーブルとすることができ、液晶駆動装置及びそれにより駆動される液晶パネルを含む液晶表示装置の回路規模を小さくすることができる。【選択図】図１
2008250222.tif 000002
【特許請求の範囲】
【請求項１】
入力された表示データを補正して、補正データを出力する補正手段と、
１フレーム前の表示データが特定階調であるか否か判別する判別手段と、
前記判別手段が前記特定階調であると判別したときには、前記補正手段によって現在の表示データを補正した補正データを選択し、前記判別手段が前記特定階調でないと判別したときには、前記現在の表示データを選択する選択手段と、
前記選択手段で選択された前記補正データ又は前記現在の表示データを用いて液晶パネルを駆動する駆動回路と、
を具備し、
前記補正手段は、前記特定階調のみの補正テーブルを持つことを特徴とする液晶駆動装置。
【請求項２】
前記特定階調は、少なくとも最低階調または最高階調を含むことを特徴とする請求項１に記載の液晶駆動装置。
【請求項３】
前記液晶パネルは、垂直配向液晶を備えることを特徴とする請求項１または２に記載の液晶駆動装置。
【請求項４】
前記特定階調は、最も液晶が立った状態に対応する階調であることを特徴とする請求項３に記載の液晶駆動装置。
【請求項５】
前記補正手段は、前記現在の表示データ及び前記１フレーム前の前表示データが入力され、
前記現在の表示データが前記前表示データより大きい場合には、前記現在の表示データより大きい補正データを出力し、
前記現在の表示データが前記前表示データより小さい場合には、前記現在の表示データより小さい補正データを出力する
ことを特徴とする請求項１乃至４の何れかに記載の液晶駆動装置。
【請求項６】
前記補正手段を複数備え、
前記複数の補正手段を切り替え使用する切替手段を更に具備することを特徴とする請求項１乃至５の何れかに記載の液晶駆動装置。
【請求項７】
前記切替手段は、前記液晶パネルの画素の色に応じて切り替えを行うことを特徴とする請求項６に記載の液晶駆動装置。
【請求項８】
前記切替手段は、前記液晶パネルの使用環境に応じて切り替えを行うことを特徴とする請求項６に記載の液晶駆動装置。
【請求項９】
請求項１乃至８の何れかに記載の液晶駆動装置と、
前記液晶駆動装置により駆動される表示パネルと、
を備えることを特徴とする液晶表示装置。
【発明の詳細な説明】
【技術分野】
【０００１】
本発明は、液晶を高速応答させる液晶駆動装置及びそれにより駆動される液晶パネルを含む液晶表示装置に関する。
【背景技術】
【０００２】
従来の液晶表示装置では、その液晶の電圧−透過率特性にあわせて、表示階調に対応して透過率が均等に又はある特定の曲線（γ特性）になるように電圧を印加して表示を行っている。この場合、表示階調と電圧の関係は一意的である。
【０００３】
しかし、液晶表示装置では、その応答速度が十分でないという欠点がある。
【０００４】
近年、液晶を高速応答させるために様々な駆動方法が考えられており、その一つにオーバードライブ駆動がある。これは、前回の表示データ（前表示データ）と今回（現在）の表示データ（現表示データ）とを比較し、その増減分に応じて今回の表示データに対して補正した電圧を液晶に印加するというものである。通常、その印加パターンはルックアップテーブルの参照によって決定される（例えば、特許文献１を参照）。即ち、現表示データ及び１フレーム前の前表示データが入力され、前記現表示データが前記前表示データより大きい場合には、前記現表示データより大きい補正データに対応する電圧を液晶に印加し、前記現表示データが前記前表示データより小さい場合には、前記現表示データより小さい補正データに対応する電圧を液晶に印加する。
【０００５】
図３は、そのようなオーバードライブ駆動を行う液晶駆動装置を適用した液晶表示装置の回路構成を示すブロック図である。同図において、１は入力される表示データが記憶される画像メモリ、２は表示データが入力され、表示データ及び同期制御信号を出力する同期制御回路、３はＲＯＭ上に形成され、同期制御回路２の出力する現表示データと画像メモリ１から出力される前表示データの入力に応じた補正データを記憶したルックアップテーブルである。４はルックアップテーブル３の出力と、同期制御回路２の制御信号をもとに信号線に駆動信号を出力する信号線駆動回路、５は同期制御回路２の出力する制御信号をもとに走査線に駆動信号を出力する走査線駆動回路である。６は走査線駆動回路５の出力及び信号線駆動回路４の出力により、表示データに応じた表示を行う液晶パネルである。ここでは、６４階調（６ビット階調）の場合の例が示されている。
【０００６】
液晶パネル６は、特に図示はしていないが、マトリクス状に配置された画素電極、及び、画素電極に対向して配置された共通電極、画素電極と共通電極の間に充填された液晶からなる液晶容量と、画素電極にソースが接続された薄膜トランジスタ（ＴＦＴ；Thin Film Transistor）と、マトリクスの行方向に延伸し、複数のＴＦＴのゲートに接続された走査線と、マトリクスの列方向に延伸し、複数のＴＦＴのドレインに接続された信号線と、を有して構成され、前記信号線駆動回路４及び走査線駆動回路５により選択される画素電極に信号電圧を印加することにより、液晶の配列を制御して所定の画像情報を表示出力する。これら液晶容量及びＴＦＴは、蓄積容量と共に液晶画素（表示画素）を構成する。
【０００７】
このような構成において、入力されたデジタル表示データを画像メモリ１で１フレーム分記憶し、入力されたデジタル表示データと、１フレーム遅れて画像メモリ１から読み出される表示データの２入力によって決定される補正データが記憶されたルックアップテーブル３により、表示データを強調された補正データに変換し、この補正データを用いて液晶パネル６を駆動して液晶パネル６の透過率の変化すなわち階調変化の応答速度を向上させていた。
【０００８】
また、前記特許文献１には、このように表示データに応じて補正を行うだけでなく、複数のルックアップテーブルを用意しておくことで、フレームレートや周辺温度等の使用環境に応じた補正を行うことについても開示されている。
【特許文献１】特開２００２−１０８２９４号公報
【発明の開示】
【発明が解決しようとする課題】
【０００９】
ＴＦＴ液晶表示装置においては、Ｒ，Ｇ，Ｂの各色を６ｂｉｔデータとすれば２６×２６×２６で２５６ｋ色、Ｇ色だけを６ｂｉｔとし、Ｒ色及びＢ色を５ｂｉｔとすれば２５×２６×２５で６４ｋ色の階調表示が可能である。
【００１０】
前記すべての場合に対応するには、図３に示すように、６×２６×２６ｂｉｔ（６ビットの補正データを読み出すための２６×２６個）のルックアップテーブル３が必要になる。従って、その回路規模は非常に大きかった。
【００１１】
本発明は、前記の点に鑑みてなされたもので、回路規模を小さくすることが可能な液晶駆動装置及びそれにより駆動される液晶パネルを含む液晶表示装置を提供することを目的とする。
【課題を解決するための手段】
【００１２】
請求項１に記載の液晶駆動装置は、
入力された表示データを補正して、補正データを出力する補正手段と、
１フレーム前の表示データが特定階調であるか否か判別する判別手段と、
前記判別手段が前記特定階調であると判別したときには、前記補正手段によって現在の表示データを補正した補正データを選択し、前記判別手段が前記特定階調でないと判別したときには、前記現在の表示データを選択する選択手段と、
前記選択手段で選択された前記補正データ又は前記現在の表示データを用いて液晶パネルを駆動する駆動回路と、
を具備し、
前記補正手段は、前記特定階調のみの補正テーブルを持つことを特徴とする。
【００１３】
請求項２に記載の液晶駆動装置は、請求項１に記載の液晶駆動装置において、
前記特定階調は、少なくとも最低階調または最高階調を含むことを特徴とする。
【００１４】
請求項３に記載の液晶駆動装置は、請求項１または２に記載の液晶駆動装置において、
前記液晶パネルは、垂直配向液晶を備えることを特徴とする。
【００１５】
請求項４に記載の液晶駆動装置は、請求項３に記載の液晶駆動装置において、
前記特定階調は、最も液晶が立った状態に対応する階調であることを特徴とする。
【００１６】
請求項５に記載の液晶駆動装置は、請求項１乃至４の何れかに記載の液晶駆動装置において、
前記補正手段は、前記現在表示データ及び前記１フレーム前の前表示データが入力され、
前記現表示データが前記前表示データより大きい場合には、前記現表示データより大きい補正データを出力し、
前記現表示データが前記前表示データより小さい場合には、前記現表示データより小さい補正データを出力することを特徴とする。
【００１７】
請求項６に記載の液晶駆動装置は、請求項１乃至５の何れかに記載の液晶駆動装置において、
前記補正手段を複数備え、
前記複数の補正手段を切り替え使用する切替手段を更に具備することを特徴とする。
【００１８】
請求項７に記載の液晶駆動装置は、請求項６に記載の液晶駆動装置において、
前記切替手段は、前記液晶パネルの画素の色に応じて切り替えを行うことを特徴とする。
【００１９】
請求項８に記載の液晶駆動装置は、請求項６に記載の液晶駆動装置において、
前記切替手段は、前記液晶パネルの使用環境に応じて切り替えを行うことを特徴とする。
【００２０】
請求項９に記載の液晶表示装置は、請求項１乃至８の何れかに記載の液晶駆動装置と、
前記液晶駆動装置により駆動される表示パネルと、
を備えることを特徴とする。
【発明の効果】
【００２１】
本発明によれば、回路規模を小さくすることが可能な液晶駆動装置及びそれにより駆動される液晶パネルを含む液晶表示装置を提供することができる。
【発明を実施するための最良の形態】
【００２２】
以下、本発明を実施するための最良の形態を、図面を参照して説明する。
【００２３】
［第１実施形態］
図１は、本発明の第１実施形態に係る液晶駆動装置の構成を示すブロック図である。なお、図３に示した従来のオーバードライブ駆動を行う液晶駆動装置と同様の構成については、同符号を付して説明を割愛する。
【００２４】
（なお、図１においては、図示しない分離回路により複合映像信号から表示データと同期信号が分離されて供給されるものであり、同期制御回路２は、その同期信号が入力されて各種制御信号を生成出力する。）
即ち、本実施形態に係る液晶駆動装置では、従来の６×２６×２６ｂｉｔのルックアップテーブル３に代えて、６×２６ｂｉｔのルックアップテーブル３０と、比較回路７及び選択回路８とを備えている。選択回路８は、２つのＡＮＤゲート８１，８２と１つのＯＲゲート８３とから構成されている。
【００２５】
ルックアップテーブル３０は、前記図示しない分離回路から入力される６ｂｉｔの現表示データ（現在の表示データ）に応じた６ｂｉｔの補正データを出力する補正手段である。
【００２６】
また、比較回路７は、前記画像メモリ１から読み出された１フレーム前の６ｂｉｔの前表示データが特定階調のときにのみＨ（ハイ）レベルの信号を出力するＯＲゲートにより構成される。即ち、この比較回路７は、１フレーム前の表示データ（前表示データ）が特定階調であるか否か判別する判別手段として機能する。そして、この比較回路７の出力信号が、制御信号として選択回路８のＡＮＤゲート８１及び８２に与えられる。但し、一方のＡＮＤゲート８１には、反転されて供給される。この一方のＡＮＤゲート８１は、前記比較回路７からの制御信号がＬ（ロー）レベルのときのみ、ルックアップテーブル３０からの６ｂｉｔの前記補正データを、後段のＯＲゲート８３を介して前記信号線駆動回路４に出力する。また、他方のＡＮＤゲート８２は、前記比較回路７からの制御信号がＨレベルのときのみ、前記図示しない分離回路から入力される６ｂｉｔの現表示データを、後段の前記ＯＲゲート８３を介して前記信号線駆動回路４に出力する。即ち、この選択回路８は、前表示データが特定階調であるときには補正データを選択し、特定階調でない場合には現表示データを選択する選択手段として機能する。
【００２７】
なお、該液晶駆動装置によって駆動される液晶パネル６に配された液晶は、ＶＡ（Vertical Alignment）液晶と称される垂直配向型の液晶である。
【００２８】
図２は、この垂直配向型液晶における表示階調の変化と表示スピードの関係を示す図である。同図において、Start Levelは前表示データの階調を示し、End Levelは現表示データの階調を示している。また、縦軸は、時間（ｍｓｅｃ）である。
【００２９】
同図に示すように、前表示データが最低階調である０階調（最も暗い階調）で、現表示データが僅差の中間調のときに最も速度が遅く、表示データの差分が大きくなるほど速度は速くなっている。また、前表示データが０階調以外のときは、速度差はほぼ均一で３０ｍｓｅｃ以下となっている。
【００３０】
このように、ＶＡ液晶は、最も液晶が立った（垂直配向の）状態からの応答速度が遅いという特徴がある。
【００３１】
従って、このような垂直配向型液晶を用いた液晶パネル６を駆動する場合には、前表示データが０階調のときのみオーバードライブ駆動を行えば、スピードアップ効果のほとんどを得ることができる。
【００３２】
そこで、本実施形態では、全ての階調に対処するために６×２６×２６ｂｉｔという回路規模の大きなルックアップテーブル３を使用する代わりに、特定の階調つまり０階調にのみ対処する６×２６ｂｉｔという回路規模の小さなルックアップテーブル３０を使用している。そして、比較回路７及び選択回路８により、前表示データが０階調のときはルックアップテーブル３０による補正データを信号線駆動回路４に供給し、前表示データが０階調以外の階調のときは現表示データをそのまま信号線駆動回路４に供給する。
【００３３】
なお、ルックアップテーブル３からなる補正手段は、現在の表示データ及び１フレーム前の前表示データが入力され、現在の表示データが前表示データより大きい場合には、前現在の表示データより大きい補正データ、現在の表示データが前表示データより小さい場合には、現在の表示データより小さい補正データを出力するようになっている。
【００３４】
以上のように、本第１実施形態によれば、オーバードライブ駆動を前表示データが０階調のときに限定することにより、ルックアップテーブル３０を非常に小規模（従来の１／６４）に構成でき、結果として回路規模の小さな液晶駆動装置を構成することができる。
【００３５】
なお、現在は採用されていないが、偏光板の貼り方を通常のＶＡ液晶と逆（平行ニコル）にした場合、最低階調である０階調に対応する状態は、最高階調である６３階調に対応する状態なる。
【００３６】
また、ルックアップテーブル３０は、少なくとも最低階調または最高階調を含み、ある程度の幅を持つ階調（例えば、６４階調の場合、０〜７階調、あるいは、５７〜６３階調）分であっても同様に回路規模の小さな液晶駆動装置を構成することができることは言うまでもない。
【００３７】
［第２実施形態］
次に、本発明の第２実施形態を説明する。
【００３８】
前記第１実施形態で説明したようにルックアップテーブル３０の規模を小さくできると、ルックアップテーブル３０を複数持たせることが可能になる。
【００３９】
例えば、液晶パネル６がストライプ配列のＲＧＢのカラー液晶パネルで、Ｒ（赤色）とＢ（青色）とで応答速度が違う特性を持つ液晶を配したとき、Ｒ画素（３ｎ−２番目の画素）とＢ画素（３ｎ番目の画素）とで設定値を変えたいような場合、２つ以上のルックアップテーブル３０が必要になるが、ルックアップテーブル３０の回路規模を小さくできたことで、色に応じて複数のルックアップテーブル３０を図示しない切替手段によって切り替える構成としても、液晶駆動装置全体の回路規模は大きくならない。
【００４０】
また、前記特許文献１に開示されているように、フレームレートや周辺温度等の使用環境に応じた複数のルックアップテーブルを用意し、それらを切り替え使用するようにしても、液晶駆動装置全体の回路規模を大きくすることなく、使用環境に応じて最適な駆動が行えるようになる。
【００４１】
以上のように、本第２実施形態によれば、ルックアップテーブルを小規模化したことで、複数のルックアップテーブルを持たせ、設定を切り替えるような使用法としても、回路規模の小さな液晶駆動装置を構成することができる。
【００４２】
以上、実施形態に基づいて本発明を説明したが、本発明は上述した実施形態に限定されるものではなく、本発明の要旨の範囲内で種々の変形や応用が可能なことは勿論である。
【００４３】
例えば、各色を６ｂｉｔデータとした場合を例に説明したが、８ｂｉｔデータ等、他のビット数でも同様に適用でき、階調数が増えれば増えるほど、本発明の効果は大きい。
【図面の簡単な説明】
【００４４】
【図１】本発明の第１実施形態に係る液晶駆動装置の回路構成を示すブロック図である。
【図２】ＶＡ液晶の表示階調の変化と表示スピードの関係を示す図である。
【図３】従来のオーバードライブ駆動を行う液晶表示装置の回路構成を示すブロック図である。
【符号の説明】
【００４５】
１…画像メモリ、  ２…同期制御回路、  ３，３０…ルックアップテーブル（補正手段）、  ４…信号線駆動回路、  ５…走査線駆動回路、  ６…液晶パネル、  ７…比較回路（判別手段）、  ８…選択回路（選択手段）、  ８１，８２…ＡＮＤゲート、  ８３…ＯＲゲート。
【図１】
2008250222.tif 000003
【図２】
2008250222.tif 000004
【図３】
2008250222.tif 000005